(57)【要約】【課題】Ｓ字状のフックに吊紐などの紐を結び付けることなく簡単に取付けることのできる紐止め用フック。【解決手段】一本の線材４を略Ｓ字状に曲げ成形したフック１で、略Ｃ字状の引掛け部２と環状の紐取付部３で構成され、引掛け部２から延在する線材４を一層目は環状に、二層目は略Ｃ字状にして二層を螺旋巻きすることで環状の紐取付部３を形成する。二層の各線材４ａ、４ｂの間に紐１０が圧入される紐係止部５を形成し、この紐係止部５に結び目１１を有する紐１０を挿入し、結び目１１を紐係止部５に係止させるようにして、フック１に紐１０をワンタッチ式に取付ける。【選択図】　　　図４
2004016805.tif 000002
【特許請求の範囲】
【請求項１】
引掛け部と環状の紐取付部を一本の線材で形成したフックで、前記紐取付部が、前記引掛け部から延在する線材を一層目は環状に、二層目は略Ｃ字状にして二層に螺旋巻きし、かつ、一層目と二層目の線材間に線材を弾性変形させて外部から紐が圧入される紐係止部を有する構造であることを特徴とする紐止め用フック。
【請求項２】
前記紐取付部の二層目の線材の先端部を一層目の線材に向けて略９０°に屈曲させ、この屈曲先端部を前記紐係止部に圧入された紐の抜け止めとした請求項１記載の紐止め用フック。
【請求項３】
引掛け部と環状の紐取付部を一本の線材で形成したフックで、前記紐取付部が、前記引掛け部から延在する線材を一層目は環状に、二層目は略Ｃ字状にして二層に螺旋巻きし、かつ、一層目と二層目の線材の間に線材を弾性変形させて外部から紐が圧入される紐係止部を有する構造の紐止め用フックにおける前記紐係止部に、結び目を有する紐の前記結び目の無い一部を圧入し、この紐を紐係止部と交差する方向に引き出して前記結び目を紐係止部に係止させることを特徴とする紐止め方法。
【発明の詳細な説明】
【０００１】
【発明の属する技術分野】
本発明は、電気器具の電源スイッチなどにスイッチ操作紐を結び付ける用途に好適な紐止め用フックと、このフックに紐を取付ける紐止め方法に関する。
【０００２】
【従来の技術と課題】
電気器具にスイッチ操作紐などの紐を結び付ける紐止め用フックは、ＳカンやＳフックと通称されている略Ｓ字状の鋼線製フックが一般的である。この種フックは、電気器具の電源スイッチに形成した取付穴に挿脱可能に係止される略Ｃ字状の引掛け部と、この引掛け部と一体の紐止め部で形成される。引掛け部は一本の鋼線を略Ｃ字状に曲げ成形した部分であり、紐止め部は引掛け部からの一本の鋼線を環状に曲げ成形した部分である。環状の紐止め部に紐を挿通して巻き付け、紐同士を結ぶことで、紐止め部の一本の鋼線に紐を結び付けている。
【０００３】
上記のような紐止め用フックは、全長が１ｃｍ前後の小さなものであり、このフックの小さな内径の環状紐係止部に紐を挿通して結び付ける作業は、両手を使った細かい作業が必要であって、熟練者といえども作業性が悪い。また、フックに紐を結び付けた紐付フック或いはフック付紐の中間製品が電気器具のメーカーなどに出荷されているが、フックに紐を結び付ける作業性が悪いために、紐付フック或いはフック付紐の製品コスト、出荷コストの低減が難しい。さらに、フックの環状部分に紐を巻き付けて結ぶだけのため、紐の結び目が緩むと結び目がフックの環状紐止め部を移動したり、紐が解けてフックから外れるといった不具合があった。
【０００４】
本発明は、紐をワンタッチ式に取付けることのできる紐止め用フックを提供することを目的とする。
【０００５】
【課題を解決するための手段】
本発明の紐止め用フックは、略Ｃ字状の引掛け部と環状の紐取付部を一本の線材で形成したフックで、紐取付部が、引掛け部から延在する線材を一層目は環状に、二層目は略Ｃ字状にして二層に螺旋巻きし、一層目と二層目の線材間に線材を弾性変形させて外部から紐が圧入される紐係止部を有する構造であることを特徴とする。また、前記紐取付部の二層目の線材の先端部を、一層目の線材に向けて略９０°に屈曲させ、この屈曲先端部を紐係止部に圧入された紐の抜け止め手段に使用する。
【０００６】
このようなフックは、鋼線や硬質樹脂線の線材製品で、一本の線材を二層に螺旋巻きして形成した環状の紐取付部の二層に重なる線材間に環状の紐係止部が形成される。この紐係止部に紐を挿入すると、紐で二層の線材が押圧されて弾性変形し、このときの弾力が紐に加わって紐を弾力的強固に係止する。紐を係止する弾力を規定値以上に設定しておくと、環状の紐取付部に紐を通して結び付けることなく、紐を紐係止部に圧入するだけのワンタッチ的な作業で紐をフックに安定させて止めることができる。また、フックに止めた紐には、紐取付部の線材による弾力が常時附勢されているので、紐取付部で紐が動かず安定し、フックから紐が不本意に外れる虞が無くなる。
【０００７】
上記紐止め用フックに紐を、次のように取付けることが望ましい。紐止め用フックの紐係止部に結び目を有する紐の結び目のない一部を圧入して、紐を紐係止部と交差する方向に引き出すように引っ張る。そして、最終的に紐の結び目を紐係止部に係止させると、結び目が紐係止部に引っ掛かって抜けなくなり、紐のワンタッチ的な取付けが終了する。紐の結び目は、紐の端部に１〜２回の結び輪を作り、この結び輪を締め込むことで形成すればよい。このような結び目は、片手操作で作業性良くできる。
【０００８】
【発明の実施の形態】
図１〜図８を参照して実施の形態を説明する。
【０００９】
図１〜図３に示される紐止め用フック１は略Ｓ字状の鋼線製品で、略Ｃ字状の引掛け部２と、環状の紐取付部３を有する。引掛け部２は電気機器の電源スイッチなどに挿脱可能にワンタッチで引掛けられる部所で、形状は図示例に限らない。本発明の特徴は、鋼線の線材４で環状に形成された紐取付部３の構造にある。
【００１０】
フック１の紐取付部３は、引掛け部２から延在する一本の線材４を二層に螺旋巻きして構成される。引掛け部２から一層目の線材４ａが環状に成形され、二層目の線材４ｂが略Ｃ字状に螺旋巻きされて一層目の線材４ａに重合し、一層目と二層目の線材４ａ、４ｂの間に図４に示すような紐１０が圧入される紐係止部５が形成される。紐係止部５は、紐１０が各線材４ａ、４ｂを弾性変形させて挿入される程度の隙間で構成され、ここに挿入された紐５を線材４ａ、５ｂの弾性復帰力で挟圧して係止する。
【００１１】
二層目の線材４ｂの先端部４ｃが、一層目の線材４ａ側に折曲される。この折曲された先端部４ｃは、紐係止部５を横切って紐係止部５からの紐１０の抜けを防止する。折曲先端部４ｃと引掛け部２の間に紐１０が自由に入る隙間ｇが形成される。
【００１２】
図４は、フック１の紐取付部３に一本の紐１０を取付けた状態が示される。紐１０は片端部に１つの結び目１１を有し、他端部に紐引張用つまみ１２がスライド自在に装着される。紐１０は、図５（Ａ）、（Ｂ）に示す要領でフック１にワンタッチ式に連結される。すなわち、紐１０の結び目１１の近くの一部をフック１の引掛け部２と紐取付部３の間の隙間ｇから線材４に交差させて線材４に押し付け、そのまま線材４に摺接させて紐係止部５の中に圧入する。そして、紐１０を環状の紐係止部５の半径方向に引っ張って結び目１１を紐係止部５に係止させることで、フック１への紐１０のワンタッチ的な取付けが終了する。
【００１３】
図４の状態で、フック１の引掛け部２を図示しない電気器具の電源スイッチなどに引掛けて、フック１から紐１０を吊り下げる。この紐１０を下方に引っ張ると、結び目１１がフック１の紐係止部５に係止して外れず、紐１０で電源スイッチなどの手動操作が行われる。
【００１４】
図４の状態で紐１０は、紐取付部３の二本の線材４ａ、４ｂで常時弾力的に挟圧されているため、結び目１１のある上端部が紐取付部３ｄで積極的に所定の強度で支持され、紐取付部３ｂを自由移動することがない。また、フック１から吊り下げられた紐１０を過大な強度で引っ張ると、結び目１１が紐係止部５に食い込んで外れることが考えられるが、このような過大な強度の引張り力は、電気器具側を損傷させるか、紐１０が破断するかといった常識外のもので、現実には有り得ず問題ない。また、何らかの作用で紐取付部３で紐１０が移動して、紐係止部５から抜け出そうとすると、紐１０の移動が折曲先端部４ｃで阻止されて、紐の不本意な抜けが防止される。
【００１５】
図６〜図８はフック１に紐１０を、より大きな強度で取付けた場合の実施の形態が示される。図４の紐１０の一部を、図７に示すようにフック１の引掛け部２と紐取付部３の間の隙間ｇから紐係止部５に再び挿入し、そのまま引っ張って圧入する。すると、図６及び図８に示すように、紐１０は紐取付部３の二層目の線材４ｂに一回巻き付けられて真下に垂れ下がる。この紐１０は、上述したような過大な引張力で引っ張っても、フック１から外れる虞はない。また、紐１０は紐取付部３の一層目の線材４ａに一回巻き付けるようにしてもよい。
【００１６】
なお、フック１の紐取付け部は、線材４を三層以上に螺旋巻きした構造も考えられるが、二層で紐１０が十分強固に取付けられることから、二層以上の線材は材料無駄であり、フックのコスト高を招く。また、線材４は鋼線が望ましいが、弾性のある硬質の樹脂線であってもよい。
【００１７】
【発明の効果】
本発明によれば、フックが小形であっても、フックの環状紐取付部に紐を差し込んで引っ張るといったワンタッチ的な作業で紐をフックに取付けることができて、フック付紐或いは紐付フックのような中間製品の組立作業性を大幅に向上させ得る実用価値の高い紐止め用フックが提供できる。また、このフックに紐がワンタッチ式に簡単に取付けることができて、上述のフック付紐或いは紐付フックのような中間製品の量産性向上と、製品コストの低減が図れる。
【図面の簡単な説明】
【図１】本発明の実施の形態を示すフックの正面図である。
【図２】図１フックの側面図である。
【図３】図１のＸ−Ｘ線に沿う拡大断面図である。
【図４】図１のフックに紐を取付けた正面図である。
【図５】（Ａ）は図４フックの紐取付時での正面図、（Ｂ）は側面図である。
【図６】図１のフックに紐を別の形態で取付けた正面図である。
【図７】図６フックの紐取付時での正面図である。
【図８】図６のＹ−Ｙ線に沿う拡大断面図である。
【符号の説明】
１　　フック
２　　引掛け部
３　　紐取付部
４　　線材
４ａ　　一層目の線材
４ｂ　　二層目の線材
４ｃ　　折曲先端部
５　　紐係止部
１０　　紐
１１　　結び目
【図１】
2004016805.tif 000003
【図２】
2004016805.tif 000004
【図３】
2004016805.tif 000005
【図４】
2004016805.tif 000006
【図５】
2004016805.tif 000007
【図６】
2004016805.tif 000008
【図７】
2004016805.tif 000009
【図８】
2004016805.tif 000010